(57)【要約】【課題】１つの立坑から複数のトンネルを構築するときの効率的なシールドマシンの後続設備の配置方法を提案する。【解決手段】１つの立坑３からシールドマシンを発進させて少なくとも２つのトンネルを構築するときのシールドマシンの後続設備５の配置方法であって、最初に構築する第１のトンネル１はシールドマシン４の後方に後続設備５を牽引せず立坑３近傍の地上ヤード７又は立坑３内に設けた作業床上４４，４４・・・に仮置きした状態で到達させた後、後続設備５を第１のトンネル１内に配置した状態からシールドマシン６に牽引されて第２のトンネル２を構築すること。【選択図】図４
2019151983.tif 000002
【特許請求の範囲】
【請求項１】
１つの立坑からシールドマシンを発進させて少なくとも２つのトンネルを構築するときのシールドマシンの後続設備の配置方法であって、
前記２つのトンネルのうち最初に構築する第１のトンネルはシールドマシンの後方に後続設備を牽引せず立坑近傍の地上ヤード又は前記立坑内に設けた作業床上に仮置きした状態で到達させた後、
前記後続設備を前記第１のトンネル内に配置した状態からシールドマシンに牽引されて第２のトンネルを構築すること
を特徴とするシールドマシンの後続設備の配置方法。
【請求項２】
前記後続設備が前記第２のトンネル構築のためのシールドマシンによって牽引される順序で第１のトンネル内に配置されることを特徴とする請求項１に記載のシールドマシンの後続設備の配置方法。
【請求項３】
前記後続設備は軌条を移動可能な複数の台車と設備とによって構成され、
前記設備は前記台車に搭載されていることを特徴とする請求項２に記載のシールドマシンの後続設備の配置方法。
【請求項４】
前記後続設備が前記第２のトンネル構築のためのシールドマシンによって牽引される際、前記第１のトンネルの前記軌条が前記第２のトンネル内に敷設した軌条と連続していることを特徴とする請求項３に記載のシールドマシンの後続設備の配置方法。
【発明の詳細な説明】
【技術分野】
【０００１】
本発明は、シールドマシンの後続設備の配置方法に関する。
【背景技術】
【０００２】
一般に、シールド工法は、地中に立坑と呼ばれる空間を構築し、立坑内に架台や発進用エントランス、反力壁といった諸設備を設け、架台上部でシールドマシンを組み立て、シールドマシンの後続設備を設置後、マシンを発進させる。
後続設備は、シールド掘進やセグメント組み立て、裏込め注入といったシールド工法の一連の施工に必要な設備であり、例えば泥水や泥土を圧送するためのポンプや操作のための運転室、動力となるパワーユニット等、適用するシールドマシンの要求性能や規模に応じて必要な設備が適切に計画・配置される。
【０００３】
これら後続設備はシールドマシンに牽引される後続台車上に搭載されることで、シールドマシンと連動してトンネル内に敷設された軌条上を走行することができる。しかし、少なくともトンネルが全ての後続台車を収納できる程度の延長に達するまでは、立坑近傍の地上ヤードや立坑内に設けた作業床に仮置きされる。この仮置きの間、シールドマシンと各後続設備とは、変形に対して柔軟な素材のケーブルや管によって接続され、シールドマシンの掘進に応じて、仮置きしておいたこれらケーブルや管を順次送り出したり、シールドマシンを一時停止させた上で、延長用のケーブルや管などを接続する。
この後続設備を牽引しない状態におけるシールドマシンによる掘進を「初期掘進」、牽引後の掘進を「本掘進」、初期掘進から本掘進への後続設備の再配置等を「段取替え」と呼んでいる。
【０００４】
初期掘進の際、立坑を除く地上ヤードにスペースがある場合は、後続設備を地上ヤードの立坑近傍に仮置きするが、特許文献１のように、都市部で地上設備のために広い空間を確保できないような場合は、立坑内に仮設の作業床を複数段設け、これらに後続設備を仮置きする場合がある。
【先行技術文献】
【特許文献】
【０００５】
【特許文献１】特開平７−２７９５９７号公報
【発明の概要】
【発明が解決しようとする課題】
【０００６】
しかしながら、１つの立坑から複数のトンネルを構築する場合、トンネル構築ごとに後続設備を地上ヤードや立坑近傍に配置するのでは、その都度大掛りな段取替えが必要になり、トンネル構築後にマシンに牽引された後続設備を立坑外に一旦搬出し、次のトンネル構築の初期掘進のために、再び地上ヤードや作業床等への配置が必要になる。
さらに、トンネルごとに後続設備を変える場合は、先行のトンネル構築に使用した設備を次のトンネル構築のために全て流用できず、設備の入れ替えや設備配置の順序変更等も合わせて発生する場合がある。
【０００７】
本発明は、１つの立坑から複数のトンネルを構築するときの効率的なシールドマシンの後続設備の配置方法を提供する。
【課題を解決するための手段】
【０００８】
前記の課題を解決するために、本発明のシールドマシンの後続設備の配置方法は、１つの立坑からシールドマシンを発進させて少なくとも２つのトンネルを構築するときのシールドマシンの後続設備の配置方法であって、前記２つのトンネルのうち最初に構築する第１のトンネルはシールドマシンの後方に後続設備を牽引せず立坑近傍の地上ヤード又は前記立坑内に設けた作業床上に仮置きした状態で到達させた後、前記後続設備を前記第１のトンネル内に配置した状態からシールドマシンに牽引されて第２のトンネルを構築することを特徴とする。
【０００９】
本発明のシールドマシンの後続設備の配置方法は、前記後続設備が第２のトンネル構築のためのシールドマシンによって牽引される順序で第１のトンネル内に配置されていても良く、前記後続設備は軌条を移動可能な複数の台車と設備とによって構成され、前記設備は前記台車に搭載されていても良い。
さらに、前記後続設備が前記第２のトンネル構築のためのシールドマシンによって牽引される際、前記第１のトンネルの前記軌条が前記第２のトンネル内に敷設した軌条と連続していても良い。
【発明の効果】
【００１０】
本発明のシールドマシンの後続設備の配置方法によれば、１つの立坑から少なくとも２つのトンネルを構築するとき、全てのトンネル構築に必要なシールドマシンの後続設備を共有し、かつ、第１のトンネル構築のためのシールドマシン発進から到達に至るまで、後続設備を地上ヤード又は立坑内に設けた作業床上に仮置きしたままの状態、いわゆる初期掘進の状態のまま到達させることで、本掘進への後続設備を段取替えを必要としない。
また、第１のトンネルの到達後、第１のトンネル構築に使用した後続設備を直接第１のトンネル内に移動することができる。
また、第１のトンネル内に配置される後続設備が第２のトンネルの構築のためのシールドマシンによって牽引される順序であれば、各設備の入れ替えを行うことが不要となる。
また、仮置きの状態から後続設備を構成する設備がトンネル内の軌条を移動可能な後続台車に搭載されていればより効率的である。
さらに、第一のトンネルと第二のトンネル内に配置される軌条が連続していれば、第二のトンネル構築の際、シールドマシンが後続台車をスムーズに牽引することができる。
【図面の簡単な説明】
【００１１】
【図１】本実施形態の立坑と２つのトンネルの断面図である。
【図２】本実施形態の第１のトンネル構築のためのシールドマシンの発進準備設備を示す断面図である。
【図３】本実施形態の第１のトンネルの到達時点を示す断面図である。
【図４】本実施形態の後続設備を第１のトンネル内に配置し、第２のトンネル構築のためのシールドマシンの発進準備設備を示す断面図である。
【図５】本実施形態の第２のトンネル構築のためのシールドマシンが後続設備を牽引している状況を示す断面図である。
【発明を実施するための形態】
【００１２】
本発明のシールドマシンの後続設備の配置方法に係る本実施形態に基づき、図１乃至図５を用いて詳述する。
【００１３】
図１は、本実施形態の立坑とその立坑からシールドマシンを発進して構築する２つのトンネルの断面図を示す。
立坑３は深礎工法により円筒形状に構築された壁体３１と底版３２とによって形成される。壁体３１のリングコンプレッション効果により切支保工を不要としている。
立坑１から発進されたシールドマシンにより、第１のトンネル１および第二のトンネル２が構築されるが、このうち第１のトンネル１は、シールドマシンが後述する後続設備を牽引しない状態（以降、「初期掘進」という。）のまま到達できる延長であり、第２のトンネル２は、シールドマシンが後述する後続設備を牽引した状態（以降、「本掘進」という。）でなければ到達できない延長を有するものとする。
【００１４】
図２は、第１のトンネル１構築のためのシールドマシン４の発進準備設備を示す断面図である。
底版３２上に発進架台４１、発進エントランス４２および反力壁４３を順次架設した後、複数に分割して搬入した部材を立坑３内に投入してシールドマシン４を組み立て、立坑３の所定の深度に作業床４４，４４・・・を架設する。
作業床４４，４４・・・上に、後続設備５を仮置きする。後続設備５は、設備５１，５１・・・と台車５２，５２・・・とによって構成され、設備５１，５１・・・は台車５２，５２・・・上に搭載される。設備５１，５１・・・に接続されたケーブル・管類４５は、シールドマシン４の各所に配設され、シールドマシン４の発進準備が整う。
この他、流体輸送設備（泥水式シールド工法の泥水循環設備他に相当）や加泥プラント設備（泥土圧式シールド工法の作泥設備他に相当）、裏込め注入設備、セグメント搬送設備等の地上および立坑内設備の説明はここでは省略する。
【００１５】
図３は、本実施形態の第１のトンネル１の到達時点を示す断面図である。後続設備５は本掘進への段取り替えを行わず、初期掘進の状態のまま到達される。
【００１６】
図４は、本実施形態の後続設備５を第１のトンネル１内に配置し、第２のトンネル２の構築のためのシールドマシン６の発進準備設備を示す断面図である。
第１のトンネル１の構築時に使用した後続設備５を第２のトンネル２の構築のためのシールドマシン６から牽引される順序で第１のトンネル１内の軌条１１の上に配置する。軌条１１は、第１のトンネル１内には予め敷設しておく。
前記と同様に、底版３２上に発進架台６１、発進エントランス６２および反力壁６３を順次架設した後、複数に分割して搬入した部材を立坑３内に投入してシールドマシン６を組み立てる。
【００１７】
図５は、本実施形態の第２のトンネル２構築のためのシールドマシン６が後続設備を牽引している状況を示す断面図である。
シールドマシン６によって構築された第２のトンネル２内には順次軌条２１を敷設する。軌条２１と軌条１１とを連続して連結すれば、第１のトンネル１内に配置しておいた後続設備５をシールドマシン６から直接かつ連続的に牽引することができる。
【００１８】
本発明のシールドマシンの後続設備の配置方法によれば、１つの立坑から少なくとも２つのトンネルを構築するとき、全てのトンネル構築に必要なシールドマシンの後続設備を共有し、かつ、第１のトンネル構築のためのシールドマシン発進から到達に至るまで、後続設備を立坑近傍の地上ヤード又は立坑内に設けた作業床上に仮置きしたままの状態、いわゆる初期掘進の状態のまま到達させることで、本掘進への後続設備を段取替えを必要としない。
また、第１のトンネルの到達後、第１のトンネル構築に使用した後続設備を直接第１のトンネル内に移動することができる。
また、第１のトンネル内に配置される後続設備が第２のトンネルの構築のためのシールドマシンによって牽引される順序であれば、各設備の入れ替えを行うことが不要となる。
また、仮置きの状態から後続設備を構成する設備がトンネル内の軌条を移動可能な後続台車に搭載されていればより効率的である。
さらに、第一のトンネルと第二のトンネル内に配置される軌条が連続していれば、第二のトンネル構築の際、シールドマシンが後続台車をスムーズに牽引することができる。
【００１９】
以上、本発明の実施形態について説明したが、本発明は前記の実施形態に限られず、本発明の趣旨を逸脱しない範囲で適宜変更が可能である。
例えば、トンネルが３つ以上あっても良い。また、第１のトンネル構築時の後続設備が作業床上ではなく、地上ヤード上にあっても良い。
【符号の説明】
【００２０】
１    第１のトンネル
２    第２のトンネル
３    立坑
４    シールドマシン（第１のトンネル構築用）
４４  作業床
５    後続設備
５１  設備
５２  台車
６    シールドマシン（第２のトンネル構築用）
７    地上ヤード
【図１】
2019151983.tif 000003
【図２】
2019151983.tif 000004
【図３】
2019151983.tif 000005
【図４】
2019151983.tif 000006
【図５】
2019151983.tif 000007